(57)【要約】【課題】  持ちやすく、使いやすい清掃具を提供すること。【解決手段】  シート状の基板としてのブラシ基板１１からなり、ブラシ基板１１の周側部２に切り込み２１が設けられており、切り込み２１を介して把持可能となされている。そして、ブラシ基板１１に多数の突起１２が形成されている清掃具としての使い捨てブラシ１。【選択図】  図１
2005066352.tif 000002
【特許請求の範囲】
【請求項１】
シート状の基板からなり、該基板の周側部に切り込みが設けられており、該切り込みを介して把持可能となされており、該基板には、多数の突起が形成されており、該突起は、その先端部から基部方向への圧縮に対し、耐えられる最大圧縮荷重が１Ｎ以上である清掃具。
【請求項２】
上記基板は、不織布により形成されており、上記突起は、該基板の一面に該基板の一部を突出させて形成されている請求項１記載の清掃具。
【請求項３】
上記基板は縦長形状であり、上記切り込みは、該基板の長手方向端縁側に位置する周側部の両方に、該基板の幅方向に向けてスリット状に設けられている請求項１又は２に記載の清掃具。
【請求項４】
上記切り込みは、十字状に３カ所設けられている請求項１又は２に記載の清掃具。
【発明の詳細な説明】
【技術分野】
【０００１】
本発明は、持ちやすく、使いやすい清掃具に関する。尚、本明細書において、「清掃具」とは、犬、猫用のシート状ブラシや衣類用のシート状ブラシ等のブラシ類；ガラスや車磨き用シート、体洗い用シート等のシート類等、シート状の清掃具であり、その清掃対象は制限されない。
【背景技術】
【０００２】
ブラシ等の清掃具として種々形状のものが提案されているが、従来提案されているものは、ブラシ保持用の柄が設けられていたり、中央部に手等を差し込んで把持するためのブラシ把持部材を有していたが、持ちにくく、使いにくいという問題があった。
【発明の開示】
【発明が解決しようとする課題】
【０００３】
従って、本発明の目的は、持ちやすく、使いやすい清掃具を提供することにある。
【課題を解決するための手段】
【０００４】
本発明は、シート状の基板からなり、該基板の周側部に切り込みが設けられており、該切り込みを介して把持可能となされており、該基板には、多数の突起が形成されている清掃具を提供することにより、上記目的を達成したものである。
【発明の効果】
【０００５】
本発明の清掃具は、持ちやすく、使いやすいものである。
【発明を実施するための最良の形態】
【０００６】
以下、本発明の清掃具の好ましい一実施形態について、主として使い捨てブラシを例示して説明する。
【０００７】
図１及び２に示す本実施形態の清掃具としての使い捨てブラシ１は、シート状の基板としてのブラシ基板１１からなり、ブラシ基板１１の周側部２に切り込み２１が設けられており、切り込み２１を介して把持可能となされている。そして、ブラシ基板１１に多数の突起１２が形成されている。
【０００８】
更に詳述すると、ブラシ基板１１は、不織布により形成されており、突起１２は、ブラシ基板１１の一面１ｓ側にブラシ基板１１の一部を突出させて形成されている。
【０００９】
ブラシ基板２は縦長形状であり、切り込み２１は、ブラシ基板１１の長手方向両端縁側に位置する周側部２ａ、２ｂの両方に、スリット状に設けられている。このように、本実施形態の使い捨てブラシ１は、縦長のブラシ基板１１の周縁部を余して突起１２を形成してある。また、一端部１ａ側の周側部２ａにおける切り込み２１ａは、ブラシ基板１１の端縁形状に沿った湾曲形状でブラシ基板１１の幅全域に亘る長さで設けられており、他端部１ｂ側の周側部２ｂにおける切り込み２１ｂも、同様の湾曲形状で、周側部２ａにおける切り込み２１ａよりも短く形成されている。このように、切り込み２１は、ブラシの両端部に設けられているのが好ましく、一方の切り込み２１ａと他方の切り込み２１ｂとの長さの比は、一方の切り込み２１ａ：他方の切り込み２１ｂ＝１：０．４〜０．８とするのが好ましい。
【００１０】
また、突起１２，１２・・は、図２に示すように、ブラシ基板１１の一部を突出させることにより、ブラシ基板１１の一面１ｓに互いに等間隔に形成されており、それぞれ、同じ大きさで内部が中空の山型形状をしている。
【００１１】
ブラシ基板１１を形成する不織布としては、例えば、スパンレース不織布、スパンボンド不織布、サクション不織布、ヒートボンド不織布、メルトブローン不織布、及びニードルパンチ不織布等が挙げられる。これらの不織布の坪量は、好ましくは５０〜５００ｇ／ｍ2、更に好ましくは２００〜３００ｇ／ｍ2である。
【００１２】
不織布を形成する繊維としては、例えば、ポリエチレン（ＰＥ）、ポリプロピレン（ＰＰ）、ポリエチレンテレフタレート（ＰＥＴ）、ポリアミド（ＰＡ）の単独繊維若しくは２以上の混合繊維、及びこれらの繊維から形成された芯鞘構造複合繊維、サイドバイサイド構造等を有する複合繊維等が挙げられ、特に、突起の成形性、及び高嵩高さ性等の点から芯鞘構造複合繊維が好ましい。また、不織布を形成する繊維の直径は、突起１２に適度な圧縮強度を与える上で、１〜１００デニールが好ましい。
【００１３】
本実施形態の使い捨てブラシ１において、突起１２は、その先端部１３から基部１５方向への圧縮に対し、耐えられる最大圧縮荷重が好ましくは１Ｎ以上、更に好ましくは３〜１５Ｎである。該突起１２が１Ｎ以上であると、ブラッシング中、突起が変形し、地肌への突起の到達感が少なくなることがなく好ましい。ここで、「突起の変形」とは、ブラシの使用中に突起が潰れ、弾性的に原形に復帰し難くなることを意味し、「地肌への突起の到達感」とは、例えば頭髪のブラッシングでは、突起が地肌に接触し、適度なマッサージ感が得られることをいう。ここで最大圧縮荷重は、下記のようにして測定される。（株）オリエンテック製テンシロンＲＴＭ２５において、最大荷重５０Ｎのロードセルを用いヘッドスピード１００mm/min.の圧縮条件下で得られた荷重と変位の関係図の中で、測定開始後最初のピークをその突起の耐えられる最大圧縮荷重とした（ｎ＝１０の平均値。それぞれ突起１個について測定。）。
【００１４】
また、突起１２は、髪が整えられる感覚や薬液の毛のつけ根又は皮膚までの到達性及び強度の点で、その高さＨが好ましくは３〜３０ｍｍ、更に好ましくは５〜２０ｍｍで、その先端部１３に好ましくは曲率半径Ｒが０．５〜２．５ｍｍ、更に好ましくは１〜１．５ｍｍの曲面を有し、その基部１５の直径Ｄが好ましくは５〜１５ｍｍ、更に好ましくは７〜１２ｍｍである。ここで、「髪が整えられる感覚」とは、梳かすことにより、適度な抵抗感を伴って髪が整えられる感覚をいう。
【００１５】
突起１２，１２・・は、一面１ｓにおいて、好ましくは２〜４０個／１０ｃｍ2の密度、更に好ましくは３〜２０個／１０ｃｍ2の密度で形成されている。各突起１２，１２間の間隔Ｐは、突起１２の大きさ及び該密度により自ずと規定されるが、好ましくは５〜２２ｍｍであり、更に好ましくは１０〜１８ｍｍである。突起１２の密度が、上記範囲であると、毛を梳く感覚、薬液の各毛のつけ根及び皮膚までの到達性、並びに所定の突起高さの形成の点で好ましい。
【００１６】
本実施形態の使い捨てブラシ１は、図３に示すように、切り込み２１ａ、２１ｂにより自由な帯状部材となされた両端縁部１ａ、１ｂを他面１ｓ’側に持ち上げて、切り込み２１ａ，２１ｂによる開口２２ａ，２２ｂを形成し、形成された開口２２ａ側から手（指）を入れて、手により把持して、通常のブラシと同様に用いることができる。尚、左右いずれの手であるかを問わずに用いることができ、また、保持用の道具等により把持することもできる。このように使用できるため、持ちやすく、使いやすい。特に、本実施形態の如く、１枚の不織布によりブラシが形成されている場合には、使いやすさがより向上される。また、本実施形態の使い捨てブラシ１は、不織布のみから形成されるため、製造が容易で安価であり、使い捨てであるから、衛生的である。また、突起１２が、不織布のみからなっていても十分な強度を有し且つブラッシング対象との十分な接触面積を有するため、効率良くブラッシングできる。また、本実施形態の使い捨てブラシ１は、不織布からなるため、犬、猫等の毛におおわれた動物、頭髪、カーペット、毛皮製品のブラッシング及び処理に好適である。
【００１７】
本実施形態の使い捨てブラシは、例えば、下記の如くして製造される。まず、繊維をカットした後、カード機でウェブを形成し、更にヒートロールを通して不織布を製造する。次に、得られた不織布を適当な幅にスリットした後、雌雄金型を用いてこの不織布をプレスすることにより一個の使い捨てブラシ分の上記突起１２，１２・・に相当する部分を該不織布上に複数形成する。また金型の温度は１２０〜２００゜Ｃ、プレス圧は０．５〜２０ｋｇｆ／ｃｍ2、プレス時間は３〜１５秒が、それぞれ好ましい。次に、プレス処理された上記不織布を、使い捨てブラシ１個分の上記突起１２，１２・・が本実施形態の如く形成されるように、上記ブラシ基板１１の平面視形状にカットし、最終に常法と同様にしてスリットを入れて切り込みを形成して、本実施形態の使い捨てブラシ１が得られる。
【００１８】
次に、本発明の清掃具の他の実施形態について説明する。尚、特に詳述しない点については、上述した実施形態と同じであり、上述の説明が適宜適用される。図４に示す実施形態の使い捨てブラシは、他端部１ｂ側において、長さの短いの切り込み２１ｂ’，２１ｂ’が、左右に２つ設けられている。使用時においては、この切り込み２１ｂ’，２１ｂ’には、指を入れて使用する。図５に示す実施形態の使い捨てブラシは、上記切り込みが、十字状に設けられている。詳細には、切り込み２１ｃ，２１ｄ，２１ｅが、それぞれ、突起の形成されていない領域としての周側部２に形成されている。そして、使用時においては、この切り込み２１ｃ，２１ｄ，２１ｅに指を入れて（本実施形態のブラシは、右手用であり、２１ｃには親指を、２１ｄには人差し指を、２１ｅには薬指を入れて使用するのが好ましい）把持して、使用に供する。図６に示す実施形態の清掃具１は、突起が設けられておらず、切り込み２１が、両端部１ａ、１ｂにそれぞれ２つづつ設けられており、各切り込み間に、それぞれベルト部２３ａ、２３ｂが形成されている。そして、本実施形態の使い捨てブラシは、その使用時において、上記ベルト部を上述した図１〜３に示す実施形態における両端部と同様に、他面１ｓ’側に持ち上げて、開口を形成し、該開口に手（指）を入れて保持して使用に供することができる。本実施形態の清掃具１は、上述の不織布により形成しても、また、ウレタンフォーム等の他の素材を用いて形成してもよい。また、本実施形態の清掃具１は、ガラス、床、車の清掃、ワックスがけ、みがきの他、体洗い、垢すり等の用途に適したものである。
【００１９】
尚、上述の実施形態においては、切り込みが、長手方向両端部に形成されたものを例示して説明したが、どちらか一方のみとしても良く、また、側方の周側部に形成しても良い。また、ブラシの形成材料も、不織布に限定されず、従来ブラシの形成材料として用いられるもので、切り込みが入れられれば特に制限なく用いることができる。また、ブラシ基板は、一つの材料で形成する必要はなく、周側部を凸部が形成される部分と別の材料で形成することもできる。また、本発明の清掃具は、上述の実施形態のような多数の突起を有するシート状のブラシ以外に、衣類用のブラシ、ガラスや車磨き用の清掃用シート、体洗い用のシート等、シート状の種々形態の清掃具に適用可能である。
【図面の簡単な説明】
【００２０】
【図１】本発明の清掃具の好ましい実施形態としての使い捨てブラシの一面側を示す平面図である。
【図２】図１に示す使い捨てブラシのＸ−Ｘ断面図である。
【図３】図１に示す使い捨てブラシの使用状態を示す斜視図である。
【図４】本発明の清掃具としての使い捨てブラシの他の実施形態を示す平面図である。
【図５】本発明の清掃具としての使い捨てブラシの他の実施形態を示す平面図である。
【図６】本発明の清掃具の他の実施形態を示す平面図である。
【符号の説明】
【００２１】
１    使い捨てブラシ（清掃具）
１ｓ    一面
１１    ブラシ基板
１２    突起
２    周側部
２１    切り込み
【図１】
2005066352.tif 000003
【図２】
2005066352.tif 000004
【図３】
2005066352.tif 000005
【図４】
2005066352.tif 000006
【図５】
2005066352.tif 000007
【図６】
2005066352.tif 000008
【手続補正書】
【提出日】平成16年11月1日(2004.11.1)
【手続補正１】
【補正対象書類名】明細書
【補正対象項目名】０００４
【補正方法】変更
【補正の内容】
【０００４】
本発明は、シート状の基板からなり、該基板の周側部に切り込みが設けられており、該切り込みを介して把持可能となされており、該基板には、多数の突起が形成されており、該突起は、その先端部から基部方向への圧縮に対し、耐えられる最大圧縮荷重が１Ｎ以上である清掃具を提供することにより、上記目的を達成したものである。
【手続補正２】
【補正対象書類名】明細書
【補正対象項目名】００１３
【補正方法】変更
【補正の内容】
【００１３】
本実施形態の使い捨てブラシ１において、突起１２は、その先端部１３から基部１５方向への圧縮に対し、耐えられる最大圧縮荷重が１Ｎ以上、好ましくは３〜１５Ｎである。該突起１２が１Ｎ以上であると、ブラッシング中、突起が変形し、地肌への突起の到達感が少なくなることがなく好ましい。ここで、「突起の変形」とは、ブラシの使用中に突起が潰れ、弾性的に原形に復帰し難くなることを意味し、「地肌への突起の到達感」とは、例えば頭髪のブラッシングでは、突起が地肌に接触し、適度なマッサージ感が得られることをいう。ここで最大圧縮荷重は、下記のようにして測定される。（株）オリエンテック製テンシロンＲＴＭ２５において、最大荷重５０Ｎのロードセルを用いヘッドスピード１００mm/min.の圧縮条件下で得られた荷重と変位の関係図の中で、測定開始後最初のピークをその突起の耐えられる最大圧縮荷重とした（ｎ＝１０の平均値。それぞれ突起１個について測定。）。